(57)【要約】【課題】            二種の熱交換器が空気の流れ方向に沿って直列に密接状態に組込まれた空気調和機について、その各熱交換器の洗浄や清掃を容易に行うことができるようにする。【解決手段】        本体１の前面に設けられた空気を取入れる吸込口２の背面側に連なる風路３を形成する熱媒の異なる二種の熱交換器Ａ，Ｂを空気の流れ方向に沿って直列に密接状態に設け、風路３に連なる本体１に設けた吹出口４から加工空気を吹出すようにした空気調和機について、下流側の熱交換器Ｂを本体１に対して固定し、上流側の熱交換器Ａを熱交換器Ｂに対して垂直面内で吸込口方向に所定範囲を回動できるように、その下部において枢着し、熱交換器Ａと熱交換器Ｂの密接状態の係脱を吸込口２からできるようにする。【選択図】          図５
2008014613.tif 000002
【特許請求の範囲】
【請求項１】
本体の前面に設けられた空気を取入れる吸込口の背面側に連なる風路を形成する熱媒の異なる二種の熱交換器Ａ，Ｂを空気の流れ方向に沿って直列に密接状態に設け、前記風路に連なる前記本体に設けた吹出口から加工空気を吹出すようにした空気調和機であって、下流側の前記熱交換器Ｂを前記本体に対して固定し、上流側の前記熱交換器Ａを前記熱交換器Ｂに対して垂直面内で前記吸込口方向に所定範囲を回動できるように、その下部において枢着し、この熱交換器Ａと前記熱交換器Ｂの密接状態の係脱を前記吸込口からできるようにした空気調和機。
【請求項２】
請求項１に記載の空気調和機であって、少なくとも熱交換器Ａに対する熱媒配管をこの熱交換器Ａの回動を許容する可撓構造とした空気調和機。
【請求項３】
請求項２に記載の空気調和機であって、少なくとも熱交換器Ａに対する熱媒配管の接続部品を熱交換器Ａの回転を許容する可動構造にした空気調和機。
【請求項４】
請求項１〜請求項３までのいずれかに記載の空気調和機であって、熱交換器Ｂを斜め下向きの傾斜構成とし、この傾斜構成に熱交換器Ａを密接させた空気調和機。
【請求項５】
請求項１〜請求項４までのいずれかに記載の空気調和機であって、熱交換器Ａ，Ｂの下方に同熱交換器Ａ，Ｂから滴下するドレンを受容するドレン受皿を近接して設け、このドレン受皿を上下に動かすことができるようにした空気調和機。
【発明の詳細な説明】
【技術分野】
【０００１】
本発明は、本体の前面に設けられた空気を取入れる吸込口の背面側に連なる風路を形成する熱媒の異なる二種の熱交換器を空気の流れ方向に沿って直列に密接状態に設け、風路に連なる吹出口から加工空気を吹出すようにした空気調和機に関するものである。
【背景技術】
【０００２】
例えば、ヒートポンプの一部を構成する熱交換器と、温水循環系の一部を構成する熱交換器を空気の流れ方向に沿って組込んだ空気調和機がある。この二種の熱交換器は、熱媒の違いから一体の単体構成を採ることが難しく、風路に直列に密接状態に組付けられている。上流側の熱交換器は本体の前面に設けられた吸込口の背後に組込まれていて、吸込口には機内へ塵埃が侵入しないようにエアーフィルタが設けられている。しかしながら、実際にはエアーフィルタをすり抜けたり、わずかな隙間から塵埃が機内に侵入したりして、二つの熱交換器に堆積することがある。熱交換器に塵埃が堆積すると、風量が落ち冷暖房能力が低下したり、冷房や除湿運転時に堆積した塵埃が水分を含み、想定しない位置から水滴が滴下し、水漏れを招くといった問題が起きる。従って、ある程度の運転時間が経過したら、特許文献１に示されているように熱交換器を洗浄・メンテナンスするようにしている。
【０００３】
【特許文献１】特開２００６−１０１７８号公報
【発明の開示】
【発明が解決しようとする課題】
【０００４】
二種の熱交換器が空気の流れ方向に沿って直列に密接状態に組込まれた空気調和機では、上流側の熱交換器の前面側部分の洗浄や清掃はエアーフィルタを外した吸込口から行うことができるが、下流の熱交換器の前面側及び上流側の熱交換器の背面側は、熱交換器全体を本体から取外さないと洗浄や清掃をすることができない。熱交換器全体を外して洗浄や清掃するには、各熱交換器の熱媒を抜いて、熱媒配管を外さなくてはならず、メンテナンス後の組立て、熱媒充填も面倒で、簡単に行うことができない。
【０００５】
本発明は、上記した問題点を解決するためになされたものであり、その課題とするところは、二種の熱交換器が空気の流れ方向に沿って直列に密接状態に組込まれた空気調和機について、その各熱交換器の洗浄や清掃を容易に行うことができるようにすることであり、各熱交換器の洗浄や清掃時及び組付け時の扱いが楽な空気調和機を得ることである。
【課題を解決するための手段】
【０００６】
上記課題を解決するために本発明は、本体の前面に設けられた空気を取入れる吸込口の背面側に連なる風路を形成する熱媒の異なる二種の熱交換器Ａ，Ｂを空気の流れ方向に沿って直列に密接状態に設け、風路に連なる本体に設けた吹出口から加工空気を吹出すようにした空気調和機について、下流側の熱交換器Ｂを本体に対して固定し、上流側の熱交換器Ａを熱交換器Ｂに対して垂直面内で吸込口方向に所定範囲を回動できるように、その下部において枢着し、熱交換器Ａと熱交換器Ｂの密接状態の係脱を吸込口からできるようにする手段を採用する。
【発明の効果】
【０００７】
本発明によれば、開放した吸込口から上流側の熱交換器Ａの前面側を洗浄・清掃し、上流側の熱交換器Ａを下流側の熱交換器Ｂからその密接状態を解除して、吸込口側に回動させれば、下流の熱交換器Ｂの前面側及び上流側の熱交換器Ａの背面側が吸込口から洗浄・清掃可能態に特別な支えなしにおくことができる。洗浄・清掃後は、熱交換器Ａを熱交換器Ｂ側へ回動させて係合させれば、当初の組付け状態になる。
【発明を実施するための最良の形態】
【０００８】
本発明の空気調和機は、本体の前面に設けられた空気を取入れる吸込口の背面側に連なる風路を形成する、熱媒の異なる二種の熱交換器Ａ，Ｂを空気の流れ方向に沿って直列に密接状態に設け、風路に連なる本体に設けたダクト接続可能な吹出口から加工空気を室内へ吹出すようにしたものである。本体の前面の吸込口には取外し可能の化粧グリルとエアーフィルタが装着されている。化粧グリルとエアーフィルタを外した吸込口は、本体前面の略中央に、本体の幅寸法に略等しく、本体の縦寸法の略１／３ほどの方形の開口部となっている。下流側の熱交換器Ｂは温冷水を熱媒とする温水循環系を構成し、本体に対してネジと懸架手段により固定されている。
【０００９】
この熱交換器Ｂは、側面形状が略直角二等辺三角形に構成され、その斜面構造部分に実質的な熱交換器が組付けられ、背面側は吹出口に続く風路となっている。上流側の熱交換器Ａは、ヒートポンプサイクルを構成する熱交換器であって、熱交換器Ｂに対して垂直面内で吸込口方向に所定範囲を回動できるように、その下部において枢着されている。熱交換器Ａの上部は本体と熱交換器Ｂに対してネジ付けされている。熱交換器Ｂと熱交換器Ａは精度良く密接され、吸込口からの空気を吹出口に導く。熱交換器Ａ，Ｂの投影平面積は吸込口の平面積より僅かに小さく、それらの熱媒配管は、それぞれの一側から下方に、同一垂直面に並ばないように配管されている。なお、本体の熱交換器Ａ，Ｂの上部はチャンバーが構成され、このチャンバーに送風機が組付けられている。
【００１０】
本発明によれば、化粧グリルとエアーフィルタを外して開放させた吸込口から上流側の熱交換器Ａの前面側を洗浄・清掃し、上流側の熱交換器Ａを下流側の熱交換器Ｂからネジ付けを外してその密接状態を解除して、吸込口側に自重を利用して回動させれば、下流の熱交換器Ｂの前面側及び上流側の熱交換器Ａの背面側が吸込口から洗浄・清掃可能の形態になる。洗浄・清掃後は、熱交換器Ａを熱交換器Ｂ側へ回動させて係合させ、ネジ付けすれば、当初の組付け状態になり、メンテナンスは完了する。熱交換器Ａの回動によりその熱媒配管に応力がかかるが、熱媒配管は上下方向に長く配管され、通常この程度の応力は許容する。この点については、熱媒配管に熱交換器Ａの回動によっても応力の掛からない工夫を施すこともできる。
【００１１】
実施の形態１．
図１は、本実施の形態の空気調和機の正面図、図２は、同じく空気調和機を透視形態で示す側面図、図３は、密接状態の熱交換器Ａ，Ｂを示す側面図、図４は、密接状態の熱交換器Ａ，Ｂを示す斜視図、図５は、熱交換器Ａを回動させた状態の空気調和機の側面図、図６は、熱交換器Ａを回動させた状態の熱交換器Ａ，Ｂを示す斜視図である。
【００１２】
本実施の形態の空気調和機は、六面体の本体１の前面に設けられた空気を取入れる吸込口２の背面側に連なる風路３を形成する、熱媒の異なる二種の熱交換器Ａ，Ｂを空気の流れ方向に沿って図２に示すように直列に密接状態に設け、風路３に連なる本体１に設けたダクト接続可能な吹出口４から加工空気を室内へ吹出すようにしたものである。本体１の前面の吸込口２には取外し可能の化粧グリル５とエアーフィルタ６がそれぞれ装着されている。化粧グリル５とエアーフィルタ６を外した吸込口２は、本体１前面の略中央に、本体１の幅寸法に略等しく、本体１の縦寸法の略１／３ほどの方形の開口部となっている。下流側の熱交換器Ｂは温冷水を熱媒とする温水循環系を構成し、背面下部において本体１にネジ７によりネジ締めされ、上部において本体１に設けたレール８と、これに受け支えられるフランジ９とによる懸架手段により固定されている（図４，５参照）。
【００１３】
この熱交換器Ｂは、図３に示すように側面形状が略直角二等辺三角形に構成され、その斜面構造部分１０に実質的な熱交換器Ｂが斜め下向きに組付けられ、背面側は吹出口４に続く風路３となっている。上流側の熱交換器Ａは、ヒートポンプサイクルを構成する熱交換器Ａであって、熱交換器Ｂに対して垂直面内で吸込口２方向に所定範囲を回動できるように、その下部において枢着されている。熱交換器Ａの回動範囲の規制は、熱交換器Ｂの枢支部近くに設けられたストッパ１１により行われ、熱交換器Ａの前面が吸込口２の口縁下部に当る直前で止まるようになっている（図３参照）。熱交換器Ａの上部は本体１に上向きにネジ１２によって締め固定され、さらに熱交換器Ｂの前面に対し前向きにネジ１３によって締め固定されている。熱交換器Ｂの前面と熱交換器Ａの背面は精度良く密接され、吸込口２からの空気を吹出口４に導く。熱交換器Ａ，Ｂの投影平面積は吸込口２の平面積より僅かに小さく、それらの熱媒配管１４は、それぞれの一側から下方に、同一垂直面に並ばないように配管されている。なお、本体１の熱交換器Ａ，Ｂの上部はチャンバーが構成され、このチャンバーに送風機１５が組付けられている。
【００１４】
この空気調和機によれば、化粧グリル５とエアーフィルタ６を外して開放させた吸込口２から上流側の熱交換器Ａの前面側を洗浄・清掃し、上流側の熱交換器Ａを下流側の熱交換器Ｂからネジ１２，１３を外してその密接状態を解除して、吸込口２側に自重を利用して回動させれば、図６に示すように、下流側の熱交換器Ｂの前面側及び上流側の熱交換器Ａの背面側が吸込口２から洗浄・清掃可能の形態になる。洗浄・清掃後は、熱交換器Ａを熱交換器Ｂ側へ持ち上げるようにして回動させて係合させ、ネジ１２，１３を締めれば、当初の組付け状態になり、メンテナンスは完了する。熱交換器Ａの回動によりその熱媒配管１４に応力がかかるが、熱媒配管１４は上下方向に長く配管され、通常この程度の応力は許容する。なお、熱交換器Ａ，Ｂはいずれを上流側にしても下流側にしても構わない。
【００１５】
実施の形態２．
本実施の形態も実施の形態１と同様の空気調和機に関するものであり、熱媒配管に熱交換器Ａの回動によっても応力の掛からない工夫を施したものである。また、ドレン受皿についての工夫を講じたものである。これらに係る構成以外は実施の形態１のものと同じである。従って、実施の形態１と同じ部分については、実施の形態１と同じ符号を用い、それらについての説明は省略する。図７は、本実施の形態の空気調和機を透視形態で示す側面図である。
【００１６】
本実施の形態の空気調和機においては、熱交換器Ａの熱媒配管１４に熱交換器Ａの回動によっても応力の掛からない工夫を施している。熱交換器Ａの熱媒配管１４を、回転を許容する接続部品（管継手）１６で熱交換器Ａに接続している。熱媒配管１４の一部は熱交換器Ａの回動を許容する可撓構造１７で構成されている。熱交換器Ａ，Ｂの下方に熱交換器Ａ，Ｂから滴下するドレンを受容するドレン受皿１８が近接して設けられている。ドレン受皿１８は長孔と蝶ナットにより上下動できる支持構造１９で受けられ、熱交換器Ａを回動させる時には蝶ナットを緩め、ドレン受皿１８を熱交換器Ａに当らない位置にまで下ろし、熱交換器Ａ，Ｂの洗浄を行う。熱交換器Ａ，Ｂの洗浄に使った洗浄水は、そのままドレン受皿１８に受容され排水される。洗浄を済ませたら熱交換器Ａを元に戻し、ドレン受皿１８も元の位置に戻す。これ以外の構成、機能は実施の形態１のものと同じである。
【図面の簡単な説明】
【００１７】
【図１】空気調和機の正面図である。（実施の形態１）
【図２】空気調和機を透視形態で示す側面図である。（実施の形態１）
【図３】密接状態の熱交換器Ａ，Ｂを示す側面図である。（実施の形態１）
【図４】密接状態の熱交換器Ａ，Ｂを示す斜視図である。（実施の形態１）
【図５】熱交換器Ａを回動させた状態の空気調和機の側面図である。（実施の形態１）
【図６】熱交換器Ａを回動させた状態の熱交換器Ａ，Ｂを示す斜視図である。（実施の形態１）
【図７】空気調和機を透視形態で示す側面図である。（実施の形態２）
【符号の説明】
【００１８】
１  本体、  ２  吸込口、  ３  風路、  ４  吹出口、  １０  斜面構造部分、  １４  熱媒配管、  １６  接続部品、  １７  可撓構造、  １８  ドレン受皿。
【図１】
2008014613.tif 000003
【図２】
2008014613.tif 000004
【図３】
2008014613.tif 000005
【図４】
2008014613.tif 000006
【図５】
2008014613.tif 000007
【図６】
2008014613.tif 000008
【図７】
2008014613.tif 000009